(57)【要約】【課題】印刷プレビュー画像を表示する際に、綴じ位置による実際の印刷物のページめくりと同じような視線移動でプレビュー画像が閲覧でき、印刷状態をイメージしやすくできる画像表示操作装置及びそれを備えた画像形成装置を提供する【解決手段】表示パネル１３２に複数ページの原稿画像をプレビュー表示可能なタッチパネルディスプレイ１３０を有する操作ユニット１２０において、タッチパネルディスプレイ１３０は、用紙に原稿画像が記録された後に綴じる工程が行われる場合に、表示パネル１３２に表示されるプレビュー画像１３５を、用紙の綴じ位置に応じて、表示パネル１３２に対して縦方向もしくは横方向の何れかの方向に沿って並べて表示する機能と、プレビュー画像１３５のスクロール方向を、表示パネル１３２に対して縦方向もしくは横方向の何れかの方向に切換える機能を備えることを特徴とするものとする。【選択図】図７
2011205356.tif 000002
【特許請求の範囲】
【請求項１】
原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を備えた画像表示操作装置において、
前記表示制御手段は、記録媒体に前記原稿画像が記録された後に綴じる工程が行われる場合に、前記操作画面に表示される複数ページの原稿画像のプレビュー画像を、前記記録媒体の綴じ位置に応じて、前記操作画面に対して縦方向もしくは横方向の何れかの方向に沿って並べて表示する機能と、前記プレビュー画像のスクロール方向を、前記操作画面に対して縦方向もしくは横方向の何れかの方向に切換える機能を備えることを特徴とする画像表示操作装置。
【請求項２】
前記表示制御手段は、前記操作画面に表示されるプレビュー画像の前記記録媒体の綴じ側となる端辺と交わる方向に、前記プレビュー画像をスクロールさせる機能を備えることを特徴とする請求項１に記載の画像表示操作装置。
【請求項３】
前記表示制御手段は、前記操作画面に表示されるプレビュー画像の前記記録媒体の中綴じラインと交わる方向に、前記プレビュー画像をスクロールさせる機能を備えることを特徴とする請求項１に記載の画像表示操作装置。
【請求項４】
前記操作画面は、操作者の指による画面操作におけるタッチ操作を認識するタッチ操作認識手段を備え、
前記タッチ操作認識手段は、前記操作者の指による前記プレビュー画像のスクロール方向指示に応じて前記プレビュー画像をスクロールさせる機能を備えることを特徴とする請求項１乃至３のうちの何れか一項に記載の画像表示操作装置
【請求項５】
原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を具備する画像表示操作装置を備えた画像形成装置において、
前記画像表示操作装置として、請求項１乃至４のうちの何れか一項に記載の画像表示操作装置を備えたことを特徴とする画像形成装置。
【発明の詳細な説明】
【技術分野】
【０００１】
本発明は、複写機やプリンタ、ファクシミリ等の電子写真方式の画像形成装置に用いられる画像表示操作装置及びそれを備えた画像形成装置に係り、特に、複数ページの原稿画像をプレビュー表示可能な画像表示操作装置及びそれを備えた画像形成装置に関する。
【背景技術】
【０００２】
従来、文章作成ソフトを用いて文章を作成する場合、「印刷レイアウト」や「閲覧レイアウト」を指定すると、例えば、「綴じ代」の設定や、「印刷の綴じ位置」とは関係なく、常にページを縦に並べた形で文章画像が表示されるものがある。
【０００３】
また、その他のソフトを用いて画像データを表示する場合、ページ表示方法として「見開きページ」を指定すると、見開きレイアウトで２ページ分横に並べたものを縦に並べた形で表示されるものがある。
【０００４】
従来技術として、スキャンした原稿画像データを集約コピーする場合、タッチパネルに画像データを表示し、区切りページを指定する際に、表示される原稿画像データを横並び表示（横スクロール）で指定する技術が開示されている（特許文献１を参照）。
【先行技術文献】
【特許文献】
【０００５】
【特許文献１】特開２００６−１６６２２０号公報
【発明の概要】
【発明が解決しようとする課題】
【０００６】
しかしながら、上述した従来技術によると、スクロールや画面切り替えにて、縦並びもしくは横並び（見開きありの場合は横見開き）表示に複数ページの表示方法が固定された表示方法の場合、綴じ位置によっては正しい見開き表示にならない場合があった。
【０００７】
また、文章作成ソフトやその他のソフトを用いて印刷時の状態を確認する際に、日本語の本のように右綴じとして出力するデータであっても、上から下（見開き箇所は左から右）にページ表示されている場合がある。実際に印刷したときにページを捲って読み進める場合と表示内容を比較すると、例えば、右綴じ両面印刷データを見開き表示した場合、ページの順が実際とは左右逆に表示される場合がある。
【０００８】
また、左綴じ両面印刷データを印刷物で読む場合、右側のページを読んでページを捲ると、視線は右下から１枚捲った左側のページの左上に移動する間に、次のページの左端を下から上に移動する。表示の場合は、次のページの上端を右から左に視線が移動することになり、印刷物を読む場合とは感覚が大きく異なっていた。
【０００９】
本発明は、上記従来の課題に鑑みてなされたものであり、印刷プレビュー画像を表示する際に、綴じ位置による実際の印刷物のページめくりと同じような視線移動でプレビュー画像が閲覧でき、印刷状態をイメージしやすくできる画像表示操作装置及びそれを備えた画像形成装置を提供することを目的とする。
【課題を解決するための手段】
【００１０】
本発明は、原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を備えた画像表示操作装置において、前記表示制御手段として、記録媒体に前記原稿画像が記録された後に綴じる工程が行われる場合に、前記操作画面に表示される複数ページの原稿画像のプレビュー画像を、前記記録媒体の綴じ位置に応じて、前記操作画面に対して縦方向もしくは横方向の何れかの方向に沿って並べて表示する機能と、前記プレビュー画像のスクロール方向を、前記操作画面に対して縦方向もしくは横方向の何れかの方向に切換える機能を備えることを特徴とするものである。
【００１１】
また、本発明は、前記表示制御手段として、前記操作画面に表示されるプレビュー画像の前記記録媒体の綴じ側となる端辺と交わる方向に、前記プレビュー画像をスクロールさせる機能を備えることが好ましい。
【００１２】
また、本発明は、前記表示制御手段として、前記操作画面に表示されるプレビュー画像の前記記録媒体の中綴じライン、すなわち、中綴じ位置に沿って折曲げた時の折曲げ線と交わる方向に、前記プレビュー画像をスクロールさせる機能を備えることが好ましい。
【００１３】
また、本発明は、前記操作画面には、操作者の指による画面操作におけるタッチ操作を認識するタッチ操作認識手段を備え、前記タッチ操作認識手段として、前記操作者の指による前記プレビュー画像のスクロール方向指示に応じて前記プレビュー画像をスクロールさせる機能を備えることが好ましい。
【００１４】
また、本発明は、原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を具備する画像表示操作装置を備えた画像形成装置において、前記画像表示操作装置として、請求項１乃至４のうちの何れか一項に記載の画像表示操作装置を備えたことを特徴とするものである。
【発明の効果】
【００１５】
本発明によれば、原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を備えた画像表示操作装置において、前記表示制御手段として、記録媒体に前記原稿画像が記録された後に綴じる工程が行われる場合に、前記操作画面に表示される複数ページの原稿画像のプレビュー画像を、前記記録媒体の綴じ位置に応じて、前記操作画面に対して縦方向もしくは横方向の何れかの方向に沿って並べて表示する機能と、前記プレビュー画像のスクロール方向を、前記操作画面に対して縦方向もしくは横方向の何れかの方向に切換える機能を備えることで、前記記録媒体の綴じ位置に応じて、綴じ位置を固定して実際に印刷物のページを捲る場合と同じような視線移動（例えば、印刷物をつづら折に展開したような状態）でプレビュー画像を閲覧することが出来るため、印刷状態をイメージしやすくできる。
【００１６】
また、本発明によれば、前記表示制御手段として、前記操作画面に表示されるプレビュー画像の前記記録媒体の綴じ側となる端辺と交わる方向に、前記プレビュー画像をスクロールさせる機能を備えることで、実際の印刷物のページ捲りと同じような視線移動でプレビュー画像が閲覧でき、印刷状態をイメージしやすくできる。
【００１７】
また、本発明によれば、前記表示制御手段として、前記操作画面に表示されるプレビュー画像の前記記録媒体の中綴じライン、すなわち、中綴じ位置に沿って折曲げた時の折曲げ線と交わる方向に、前記プレビュー画像をスクロールさせる機能を備えることで、実際の印刷物のページ捲りと同じような視線移動でプレビュー画像が閲覧でき、印刷状態をイメージしやすくできる
【００１８】
また、本発明によれば、前記操作画面には、操作者の指による画面操作におけるタッチ操作を認識するタッチ操作認識手段を備え、前記タッチ操作認識手段として、前記操作者の指による前記プレビュー画像のスクロール方向指示に応じて前記プレビュー画像をスクロールさせる機能を備えることで、簡単な操作で実際の印刷物のページ捲りと同じような感覚でページ送り操作することができる。
【００１９】
また、本発明によれば、原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を具備する画像表示操作装置を備えた画像形成装置において、前記画像表示操作装置として、請求項１乃至４のうちの何れか一項に記載の画像表示操作装置を備えたことで、前記画像形成装置で画像を出力する際に、実際に印刷物のページを捲る場合と同じような視線移動（例えば、印刷物をつづら折に展開したような状態）でプレビュー画像を閲覧することが出来るため、印刷状態をイメージしやすくできる画像形成装置を提供することができる。
【図面の簡単な説明】
【００２０】
【図１】本発明の実施形態に係る画像形成装置の構成を示す斜視図である。
【図２】前記画像形成装置の内部構成を簡略化して示す説明図である。
【図３】前記画像形成装置のハードウェア構成を示す機能ブロック図である。
【図４】前記画像形成装置のタッチパネルディスプレイの表示領域を示す説明図である。
【図５】前記タッチパネルディスプレイに表示される画面例を示す説明図である。
【図６】前記タッチパネルディスプレイに表示されるプレビュー領域を変更した状態を示す説明図である。
【図７】前記タッチパネルディスプレイの構成を示すブロック図である。
【図８】（ａ）〜（ｃ）前記タッチパネルディスプレイによるプレビュー表示において原稿画像を横並び表示した状態を示す説明図である。
【図９】（ａ）〜（ｃ）前記タッチパネルディスプレイによるプレビュー表示において原稿画像を縦並び表示した状態を示す説明図である。
【図１０】前記タッチパネルディスプレイによるプレビュー表示において印刷用紙の左側の縦端辺を綴じる時の原稿画像を表示した状態を示す説明図である。
【図１１】前記タッチパネルディスプレイによるプレビュー表示において印刷用紙の右側の縦端辺を綴じる時の原稿画像を表示した状態を示す説明図である。
【図１２】前記タッチパネルディスプレイによるプレビュー表示において印刷用紙の上側の横端辺を綴じる時の原稿画像を表示した状態を示す説明図である。
【図１３】前記タッチパネルディスプレイによるプレビュー表示において印刷用紙を縦方向で中綴じにした後に左綴じとして使用する時の中綴じの原稿画像を表示した状態を示す説明図である。
【図１４】前記タッチパネルディスプレイによるプレビュー表示において印刷用紙を縦方向で中綴じにした後に右綴じとして使用する時の中綴じの原稿画像を表示した状態を示す説明図である。
【図１５】前記タッチパネルディスプレイによるプレビュー表示において印刷用紙を横方向で中綴じにした後に上綴じとして使用する時の中綴じの原稿画像を表示した状態を示す説明図である。
【図１６】前記タッチパネルディスプレイに表示される原稿画像の綴じ位置による原稿画像の配列方法と並び方の判定の手順を示すフローチャートである。
【発明を実施するための形態】
【００２１】
以下、本発明の第実施形態について図面を参照して説明する。
図１は発明を実施する形態の一例であって、本発明の実施形態に係る画像表示操作装置が用いられた画像形成装置の全体の構成を示す説明図、図２は前記画像形成装置の内部構成を簡略化して示す説明図、図３は前記画像形成装置のハードウェア構成を示す機能ブロック図、図４は前記画像形成装置のタッチパネルディスプレイの表示領域を示す説明図、図５は前記タッチパネルディスプレイに表示される画面例を示す説明図、図６は前記タッチパネルディスプレイに表示されるプレビュー領域を変更した状態を示す説明図である。
【００２２】
本発明の実施形態は、図１に示すように、表示パネル（操作画面）１３２に複数ページの原稿画像をプレビュー表示可能なタッチパネルディスプレイ（表示制御手段）１３０を有する操作ユニット（画像表示操作装置）１２０を備えた画像形成装置１００において、操作ユニット１２０として、本発明に係る特徴的な画像表示操作装置の構成を採用したものである。
【００２３】
なお、表示パネル（操作画面）１３２に表示される複数原稿画像は、画像形成装置１００の原稿読取部などから取り込まれた原稿画像の形態をプレビュー表示するものとして説明するが、画像形成部から記録用紙上に形成される画像の出力形態を仕上がりプレビュー画像として表示したものであってもよい。
【００２４】
本実施形態に係る画像形成装置１００は、画像処理装置の１種である画像形成装置である。本発明に係る画像表示操作装置の適用は、このような画像形成装置以外の画像処理装置または電子機器であっても構わない。
【００２５】
また、本実施形態に係る画像形成装置１００は、複数の動作モードを備え、その動作モードが切り換えられて表示機器の画面が切り換えられた場合において、ユーザが画面構成を覚えていなくても、ユーザが求める情報をユーザが容易に取得することができるように、情報を表示する表示機器を備えた装置であればよい。
【００２６】
なお、本実施形態に係る画像形成装置１００は、ジェスチャー操作方法とジェスチャー操作によらないタッチ操作方法とにより操作が可能なタッチパネルディスプレイ（操作画面）を備えるとするが、タッチ操作のみが可能なタッチパネルディスプレイを備える装置であってもよく、さらには、操作が不可能な表示のみ可能な表示パネルおよび操作用のボタンを備える装置であってもよい。
【００２７】
この画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置１００は、さらにネットワークプリンタモードを備えていても構わない。
【００２８】
また、本発明はこれに限定されず、動作モード毎に画面が切り換わる画像形成装置であれば構わない。また、印刷方式は電子写真方式に限定されない。
【００２９】
まず、本発明の実施形態に係る画像形成装置１００について説明する。
本実施形態に係る画像形成装置１００は、原稿読取部１０２、画像形成部１０４、給紙部１０６、排紙処理装置１０８、および、操作ユニット１２０を備える。
操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル（タッチ操作認識手段）１３４とで構成される。表示操作部１４０は、表示灯１４２と、電源キー１４４と、省エネルギーキー（以下「省エネキー」と記載）１４６と、動作モードを選択するホーム画面ヘタッチパネルディスプレイ１３０の表示画面を戻すためのホームキー１４８とで構成される。
【００３０】
このように画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。
【００３１】
なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。このような画像形成装置１００の動作モードについて説明する。
【００３２】
（コピーモード）
以下において、画像形成装置１００のコピーモードでの動作について説明する。
このコピーモードにおいては、主として、原稿読取部（以下、「スキャナ部」と称する。）１０２および画像形成部１０４が動作する。
【００３３】
画像形成装置１００においては、原稿載置台に置かれた原稿が原稿読取部１０２により画像データとして読取られ、読取られた画像データが図３に示すマイクロコンビュータ等から構成されるＣＰＵ３００に入力され、ここで画像データに各種の画像処理が施され、この画像データが画像形成部１０４へと出力される。
【００３４】
画像形成部１０４は、図２に示すように、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００３５】
画像形成部１０４には、主搬送路２３６および反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００３６】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００３７】
感光体ドラム２２２は、一方向に回転し、その表面は、クリーニング装置２３２と除電装置によりクリーニングされた後、帯電装置２２４により均一に帯電される。
【００３８】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００３９】
現像装置２２８は、トナーを感光体ドラム２２２の表面に供給して静電潜像を現像し、トナー像を感光体ドラム２２２の表面に形成する。
【００４０】
転写装置２３０は、当該転写装置２３０と感光体ドラム２２２との間を通過していく記録用紙に感光体ドラム２２２の表面のトナー像を転写する。
【００４１】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、例えば、このヒータへ供給される電力が停止されたり削減されたりする。
【００４２】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００４３】
記録用紙の両面に印刷が行なわれる場合は、分岐爪２４４が所定方向に回動されて記録用紙が一旦排紙トレイ２４６側へ導かれた後、スイッチバック搬送されて反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００４４】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００４５】
排紙処理装置１０８では、複数の記録用紙を各排紙トレイ１１０に仕分けして排出する処理、各記録用紙にパンチングする処理、および各記録用紙にステープルする処理を施す。例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット１１１によるパンチング処理またはステープルユニット１１２によるステープル処理を施して印刷物を作成する。
【００４６】
（ファクシミリモード）
以下において、ファクシミリモードでの動作について説明する。
このファクシミリモードにおいては、図３に示すように、主として、送信動作は原稿読取部（スキャナ部）１０２およびＦＡＸ通信部１６０が動作することにより、受信動作はＦＡＸ通信部１６０および画像形成部１０４が動作する。
【００４７】
（送信動作）
画像形成装置１００においては、ファクシミリモードを指定して、原稿載置台に置かれた原稿が原稿読取部１０２により画像データとして読取られ、読取られた画像データが図３に示すマイクロコンビュータ等から構成されるＣＰＵ３００に入力され、ここで画像データに各種の画像処理が施され、この画像データがＦＡＸ通信部（図３のＦＡＸ通信部１６０）へと出力される。
【００４８】
図３に示すように、送信側の画像形成装置１００のＦＡＸ通信部１６０は、指定された送信側の回線を指定された送信先に接続して、画像データをファクシミリ通信規格に合致した通信データへ変換して、受信側のファクシミリ装置（例えばファクシミリ機能を備えた画像形成装置１００）へ送信する。
【００４９】
（通信動作）
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側および受信側で互いに実装されている能力情報の受渡しを行ない、利用可能な最大能力での通信速度および画像データの符号化・符号訂正方式などを決定してモデムの通信方式を設定する。この通信方式にあわせた画像信号静式を用いて、送信側の画像形成装置１００のＦＡＸ通信部１６０から受信側の画像形成装置１００のＦＡＸ通信部１６０ヘデータを送信する。送信が終了すると回線が切断される。
【００５０】
（受信動作）
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００５１】
次に、画像形成装置１００の制御ブロック構成について図面を参照して説明する。
図３に示すように、画像形成装置１００は、さらに、コピーモード、ファクシミリモードとして装置が搭載する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００５２】
画像形成装置１００は、さらに、原稿読取部１０２、画像形成部１０４、ＦＡＸ通信部１６０、操作ユニット１２０、ＲＯＭ３０６、ハードディスク３０２、およびＲＡＭ３０８に接続されるパス３１０と、パス３１０に接続された、画像形成装置としての一般的機能を実現するためのＣＰＵ３００とを含む。
【００５３】
ハードディスク３０２には、この画像形成装置１００でスキャンした原稿の画像データのファイルが記憶される。また、ハードディスク３０２には、各動作モードの初期画面データが記憶されている。（ハードディスク３０２でなくてもＲＯＭ３０６に記憶させておくことも可能）
【００５４】
ＲＯＭ３０６には、画像形成装置１００の動作を制御するのに必要なプログラムおよびデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラムおよびデータに従って画像形成装置１００の制御を行なうとともに画像形成装置１００の各機能に関する制御を実行する。
【００５５】
図３に示すように、この画像形成装置１００のＦＡＸ通信部１６０には、画像データの送受信用に公衆回線が接続され、ネットワークインターフェイス３０４には、ネットワーク回線が接続されている。このネットワーク回線には、この画像形成装置１００をネットワーク対応のプリンタとして使用するコンビュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００５６】
ＲＡＭ３０８は、ＣＰＵ３００による演算および処理の結果を一時的に記憶するワーキングメモリとしての機能と、画像データを記憶するフレームメモリとしての機能とを提供する。
【００５７】
原稿読取部１０２、画像形成部１０４、操作ユニット１２０を構成するタッチパネルディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００５８】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６およびホームキー１４８）が、備えられている。タッチパネルディスプレイ１３０および表示操作部１４０は、操作ユニット１２０が全体として一体となるように構成されている。
【００５９】
上述したように、このタッチパネルディスプレイ１３０は、表示パネル１３２と、表示パネル１３２に重ねて配置されたタッチパネル１３４とで構成される。
【００６０】
このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２の表示領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００はこのようなタッチ操作（ユーザによる押圧位置に基づくコマンド入力操作）に加えて、上述したジェスチャー操作（ユーザによる操作軌跡に基づくコマンド入力操作）にも対応している。
【００６１】
また、表示操作部１４０の表示灯１４２は、例えばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（例えば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時聞が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。なお、電源キー１４４、省エネキー１４６およびホームキー１４８を押下したときの処理はこれらに限定されるものではない。
【００６２】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。例えば、このキーランプは、円型のキーの５周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００６３】
本実施形態に係る画像形成装置１００においては、上述した２つの動作モード（コピーモード、ファクスモード）を備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００６４】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示するという本発明の本質的部分を備える。特にこの画像形成装置１００においては、主たる表示操作デバイスとして設けられたタッチパネルディスプレイ１３０のホーム画面において動作モードを選択すると、各動作モードの初期画面が表示される。この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線および指先の動線が実現されるために）容易に設定が可能で、（２）異なる動作モードであっても５つの領域のそれぞれに表示される概念は同じものであって、動作モードが異なってもユーザが混乱することなく操作が可能である。以下において、このような基本レイアウトの構成について説明する。
【００６５】
次に、画像形成装置１００のタッチパネルディスプレイ１３０における基本レイアウトについて図面を参照して説明する。
タッチパネルディスプレイ１３０の基本レイアウトは、図４に示すように、横長のタッチパネルディスプレイ１３０において（例えば、横１０２４ピクセル×縦６００ピクセル）、最上部に配置されたシステム領域１０００、画面中央部に配置されたプレビュー領域３０００、プレビュー領域３０００の左側に配置された機能設定／確認領域２０００（以下、機能選択領域２０００と記載する）、プレビュー領域３０００の右上部に配置されたアクションパネル領域４０００、および、プレビュー領域３０００の右下部に配置されたタスクトリガー領域５０００で構成される。
【００６６】
なお、タッチパネルディスプレイ１３０における領域の数は５つに限定されるものではなく、左右の並びもこれに限定されず、例えば、ユーザの利き手に応じて領域の左右の配置を逆にしても構わない。また、システム領域１０００の位置は最下部であっても構わない。また、状態もしくは設定によっては表示されなくても構わない。
【００６７】
システム領域１０００には、この画像形成装置１００の現時点での状態が表示され、操作中の動作モードのタイトル、画像形成装置１００の状況・状態が表示される。例えば、システム領域１０００には、動作モード名、割り込みキー、ログインユーザ名、処理中のジョブ状況、内蔵メモリ使用状態、時刻等が表示される。
【００６８】
機能選択領域２０００には、各機能の設定、表示の切り換え、設定の確認のためにユーザにより操作される機能選択メニュー（アイコン、ボタン等）が、アイコンモード、レギュラーモードおよびエキスプレスモードで表示態様を変更して、表示される。アイコンモードにおいては、プレビュー領域３０００が最も広くなるように機能選択領域２０００には機能設定用のアイコンのみが表示される。エキスプレスモードにおいては、プレビュー領域３０００が最も狭くなっても機能選択領域２０００には機能を一度に設定できる画面が大きく表示される。レギュラーモードにおいては、プレビュー領域３０００の大きさはアイコンモードとエキスプレスモードとの中間の大きさであって、機能選択領域２０００には機能設定のアイコンとともに機能名称がテキスト表示される。
【００６９】
これらのアイコンモード、レギュラーモードおよびエキスプレスモードの切り換えはユーザの操作に基づく。すなわち、プレビュー領域３０００の大きさが、ユーザの操作に応じて変更して表示される。このように、アイコンは、小さい領域でユーザへの情報を伝達することができるので、全ての機能に対して準備しておいて、プレビュー領域３０００が大きく表示できることが好ましい。
【００７０】
この機能選択領域２０００には、その下部に機能選択領域２０００の表示スタイルを変更する変更ボタン群２０１０を備える。変更ボタン群２０１０には、アイコンモードで機能選択領域２０００を表示するアイコンモード移行ボタン２０１２、「お気に入り」登録した機能を表示させるお気に入りボタン２０１４、設定が変更された機能を表示させるチェックボタン２０１６、選択されている動作モードにおいて設定可能な全ての機能の一覧を表示するリストボタン２０１８、レギュラーモードで機能選択領域２０００を表示するレギュラーモード移行ボタン２０２０、および、エキスプレスモードで機能選択領域２０００を表示するエキスプレスモード移行ボタン２０２２が配置されている。
【００７１】
なお、機能選択領域２０００に表示される情報が多い場合には、この機能選択領域２０００において上下方向にスクロール可能に情報が表示される。この場合において、この変更ボタン群２０１０はスクロールされないで、機能選択領域２０００の最下部に常に表示される。
【００７２】
プレビュー領域３０００には、原稿の出力（仕上がり）イメージが表示される。ダミーデータまたはスキャンデータを用いてイメージ表示し、ユーザが仕上がりを変更する毎にプレビュー領域３０００に表示されているイメージが変更される。このプレビュー領域３０００においては、スキャン前のバーチヤルモードでのダミーイメージでの仕上がり表示、スキャン後のスキャンインモードでの実イメージでの仕上がり表示の２つのモードを有し、さらにバーチヤルモードには、原稿セット前および原稿セット後の２種類がある。
【００７３】
このプレビュー領域３０００には、その下部にプレビュー領域３０００の表示スタイルを変更するプレビュー変更ボタン群３０１０を備える。プレビュー変更ボタン群３０１０には、プレビューを左に９０度回転させる左回転ボタン３０１６、プレビューを右に９０度回転させる右回転ボタン３０１８、ズームバー３０２０が配置されている。これら以外にも、例えばカラー変更ボタン３０１２およびプレビュー操作ボタン３０１４が配置されている。
【００７４】
ここで、左回転ボタン３０１６を１回タッチ操作するとプレビューが左に９０度回転されて、２回タッチ操作するとプレビューが左に１８０度回転される（上下反転）。また、プレビュー領域に表示された仕上がり原稿イメージをジェスチャー操作しても（指先で原稿イメージを反時計回転方向に１８０度回転させても）、プレビューが左に１８０度回転されて上下反転される。
【００７５】
右回転ボタン３０１８を１回タッチ操作するとプレビューが右に９０度回転されて、２回タッチ操作するとプレビューが右に１８０度回転される（上下反転）。また、プレビュー領域に表示された仕上がり原稿イメージをジェスチャー操作しても（指先で原稿イメージを時計回転方向に１８０度回転させても）、プレビューが右に１８０度回転されて上下反転される。
【００７６】
ズームバー３０２０のプラスボタン３０２０Ａをタッチ操作したり、バ−３０２０Ｃをプラスボタン３０２０Ａ側へジェスチャー操作（ドラッグまたはフリック）したりすると、プレビューが拡大して表示される。また、プレビュー領域に表示された仕上がり原稿イメージをジェスチャー操作しても（指先で原稿イメージをピンチアウト／ピンチオープンさせても）、プレビューが拡大して表示される。
【００７７】
ズームバー３０２０のマイナスボタン３０２０Ｂをタッチ操作したり、バ−３０２０Ｃをマイナスボタン３０２０Ｂ側ヘジェスチャー操作（ドラッグまたはフリック）したりすると、プレビューが縮小して表示される。また、プレビュー領域に表示された仕上がり原稿イメージをジェスチャー操作しても（指先で原稿イメージをピンチイン／ピンチクローズさせても）、プレビューが縮小して表示される。
【００７８】
なお、プレビュー領域３０００に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。なお、原稿イメージをジェスチャー操作（フリック）してもプレビューされる原稿のページ送り、ページ戻しを行なうこともできる。また、プレビュー領域３０００に表示される原稿イメージが大きい場合には、タッチ操作またはジェスチャー操作可能なスクロールバーを表示するようにしても構わない。
【００７９】
アクションパネル領域４０００には、操作についての補助・助言・提案についての情報が表示される。このアクションパネル領域４０００には、例えば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【００８０】
タスクトリガー領域５０００には、その動作モードにおける全ての設定が完了して、この画像形成装置１００を実際に動作させるためにユーザにより操作されるトリガー一項目が表示される。例えば、処理を開始させるためのスタートボタン（ソフトウェアボタン）である。なお、印字を伴う動作モード（ファクス送信以外）において、消耗品切れについての情報も、タスクの実行不可に関連するので、この「タスクトリガー領域」に表示される。
【００８１】
この場合において、スタートボタンが押下できる状態の場合にのみ、スタートボタンを表示することも好ましい。スタートボタンが押下できる状態とは、印字を伴う動作モードの場合には、全ての設定が終了してかつ消耗品（記録用紙およびトナー）切れでない状態であって、印字を伴わない動作モードであるファクスモード（送信）の場合には、宛先を含む全ての送信パラメータの設定が終了した状態である。
【００８２】
これらの５領域は、動作モードが変更されても（どの動作モードの初期画面においても、その配置された位置は変更されない。また、機能選択領域２０００（およびプレビュー領域３０００）におけるアイコンモード／レギュラーモード／エキスプレスモードの切り換え表示のように、領域はタッチパネルディスプレイ１３０の画面横方向（長手方向）に伸縮してサイズが変化する。
【００８３】
このような５領域の配置は、従来機におけるユーザインターフェイスをも考慮しつつ、ユーザの視点の動線および操作の動線に着目して配置されている。このような配置により、タッチパネルディスプレイ１３０において、左上から右下へユーザの視線が動いて、左上から右下へユーザの操作（利き手の指先）が動く。
【００８４】
なお、ある動作モードから他の動作モードへ遷移するためには、ホームキー１４８を押下して、ホーム画面において他の動作モードを選択する。このように、ホーム画面を経由して、動作モードが切り換えられる。
【００８５】
（コピーモードの初期画面表示動作）
コピーモードが選択されると、ハードディスク３０２等から読出したコピー初期画面データを用いてタッチパネルディスプレイ１３０にコピーモードの初期画面が表示される。
このとき、例えば、タッチパネルディスプレイ１３０には、図５に示すように、コピーモード初期画面７１００が表示される。コピーモード初期画面７１００は、上述したレイアウト構成の５領域に分割されて情報が表示される。
【００８６】
コピーモード初期画面７１００のシステム領域１０００には、図５に示すように、選択されている動作モード（ここではコピーモード）を示すエリア１１０２、選択された動作モードに付随するサブ情報を表示するエリア１１０４、ログインユーザ名を表示するエリア１１０６、ログアウトボタン（ソフトウェアボタン）が表示されるエリア１１０８、現在実行中のジョブ状況を表示するエリア１１１０、ジョブ状況に関係するボタン（ソフトウェアボタン）が表示されるエリア１１１２、通信状態が表示されるエリア１１１４、現在時刻が表示されるエリア１１１６が配置されている。
【００８７】
エリア１１０２には、動作モードを示す名称または／およびアイコンが表示される。
このエリア１１０２をタッチ操作、タップ操作またはダブルタップ操作すると、動作モードを示すメニューがプルダウン表示されて動作モードを切り換えることができるようにすることも好ましい（他の動作モードにおいても同じ）。
【００８８】
エリア１１０４には、サブ情報として、割り込みキー（ソフトウェアボタン）が表示される。この割り込みキーをタッチ操作、タップ操作またはダブルタップ操作すると、コピーモードにおいて割り込み処理を実行することができる。
【００８９】
エリア１１１２には、現在実行中のジョブ状況がアイコンで表示される。このジョブ状況をタッチ操作、タップ操作またはダブルタップ操作すると、詳細なジョブ状況情報が表示される。さらに、エリア１１１２には、選択されたジョブを停止させるボタン等を表示することも好ましい。
【００９０】
コピーモード初期画面７１００の機能選択領域２０００には、コピーモードにおいてユーザが選択できる機能選択メニュー２１００および上述した変更ボタン群２０１０が表示されている。図５に示す画面では、レギュラーモードで機能選択メニューが表示されている。
【００９１】
図５に示すように、レギュラーモードで表示される機能選択メニューは、アイコン群２１００とテキスト群２１２０とで構成される。この機能選択領域２０００に表示される機能選択メニューとして、コピー一部数を設定するアイコン２１０２および設定された内容を表示するテキス卜２１２２、カラーモードを設定するアイコン２１０４および設定された内容を表示するテキスト２１２４、コピー濃度を設定するアイコン２１０６および設定された内容を表示するテキスト２１２６、コピー倍率を設定するアイコン２１０８および設定された内容を表示するテキスト２１２８、原稿の種類を設定するアイコン２１１０および設定された内容を表示するテキスト２１３０、用紙の種類を設定するアイコン２１１２および設定された内容を表示するテキスト２１３２、画像を編集するアイコン２１１４および設定された内容を表示するテキスト２１３４、レイアウトを編集するアイコン２１１６および設定された内容を表示するテキスト２１３６が表示されている。
【００９２】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【００９３】
ここで、画像編集とは、１ページの原稿に対する画像編集であって、さらに下位の階層メニューとして、枠消去、印字メニュー、ウォータマーク、ユーザスタンプ等があり、レイアウト編集とは、複数ページの原稿に対する画像編集であって、さらに下位の階層メニューとして、ページ集約、とじしろ、ページ移動、センタリング等がある。これらのさらなる下位メニューは、アイコン２１０２〜アイコン２１１６またはテキスト２１２２〜テキス卜２１３６をタッチ操作、タップ操作またはダブルタップ操作すると、タッチパネルディスプレイ１３０に表示される。
【００９４】
コピーモード初期画面７１００のプレビュー領域３０００には、原稿の出力（仕上がり）イメージ３１００および上述したプレビュー変更ボタン群３０１０が配置されている。このとき、ダミーデータまたはスキャンデータを用いてイメージ３１００が表示され、ユーザが機能選択領域２０００の機能設定メニューを変更する毎に、イメージ３１００が変更されてプレビュー領域３０００に表示される（プレビューの表示が変更）。
【００９５】
コピーモード初期画面７１００のアクションパネル領域４０００には、コピー操作についての補助・助言・提案についての情報が表示されている。ここでは、図５に示すように、このユーザが選択したコピーモードにおけるおすすめ機能が表示される。このとき、アクションパネル領域４０００は、表示されている情報の内容を示すエリア４１００、それ自体がソフトウェアボタンとしておすすめ機能をテキスト表示するエリア４１０２〜エリア４１０６が配置されている。
【００９６】
エリア４１０２をタッチ操作、タップ操作またはダブルタップ操作すると、省エネコピーについてのさらに詳細な情報がプルダウン表示される。例えば、このとき、「両面印刷すると用紙を節約できます」というテキストとともに両面コピーの機能設定画面へ遷移するソフトウェアボタンと、「複数の原稿を集約して印刷すると用紙を節約できます」というテキストとともにページ集約の機能設定画面へ遷移するソフトウェアボタンと、「本のように綴じられるように印刷することができます」というテキストとともに中とじの機能設定画面へ遷移するソフトウェアボタンとが、表示される。
【００９７】
コピーモード初期画面７１００のタスクトリガー領域５０００には、実行ボタン群５１００が表示される。この実行ボタン群５１００として、原稿をスキャンして画像データを取得するように画像形成装置１００を作動させるスキャンインキー（ソフトウェアボタン）５１０２、設定した機能をクリアするクリアオールキー（ソフトウェアボタン）５１０４、原稿をスキャンしてモノクロコピーを実行するように画像形成装置１００を作動させるモノクロスタートキー（ソフトウェアボタン）５１０６、原稿をスキャンしてカラーコピーを実行するように画像形成装置１００を作動させる力ラースタートキー（ソフトウェアボタン）５１０８が配置されている。
【００９８】
このように、５つの領域に分割して情報が表示されたコピーモード初期画面７１００において、ユーザが要求を入力すると、その要求に従ってコピー処理が実行される。
【００９９】
次に、機能選択領域２０００をアイコンモードで表示してプレビュー領域３０００を広げた場合の、プレビューページの変更動作について説明する。
【０１００】
図６に示すように、プレビューのイメージ３１１８が表示されている場合において、ユーザが、プレビュー表示された画面をユーザが左へフリックすると、入力軌跡が分析される。このとき、このユーザによるジェスチャー操作はページをめくる要求であると分析されて、フリックした方向に応じた表示されていない別のページを含むプレピューイメージが表示される。
【０１０１】
また、このようにプレビューイメージが表示されるページを移動させるには、ページ送りボタン３１１８Ｇ、ページ早送りボタン３１１８Ｈ、ページ戻しボタン３１１８Ｅ、ページ早戻しボタン３１１８Ｄをタッチ操作しでも可能である。さらに、ページ直接指定ボタン３１１８Ｆをタッチして直接移動させたいページを入力することにより、プレビューイメージが表示されるページを移動させることも可能である。
【０１０２】
このように、機能選択領域２０００がアイコンモードで表示されると、プレビュー領域３０００が広がり、図６に示すように、ユーザの視認性およびユーザの操作性が高まるように、プレビューイメージを表示することができる。特に、タッチ操作またはジェスチャー操作により、表示させたいプレビューイメージまで移動して、所望のプレビューを表示させることができる。
【０１０３】
なお、図６に示すごみ箱アイコン３１１８Ａは、選択したページをごみ箱アイコン３１１８Ａまでドラッグすることによりそのページを削除することができる。
【０１０４】
また、１ページ表示アイコン３１１８Ｂを押下することにより、例えば３ページ表示していたプレビューが１ページ表示になり（このとき１ページ分を大きく表示）、複数ページ表示アイコン３１１８Ｃを押下することにより、例えば、１ページ表示していたプレビューが３ページ表示になる。
【０１０５】
次に、本実施形態の画像形成装置１００における特徴的な操作ユニット１２０の構成について図面を参照して詳細に説明する。
図７は本実施形態の画像形成装置の操作ユニットを構成するタッチパネルディスプレイの構成を示すブロック図である。
【０１０６】
本実施形態に係る操作ユニット１２０は、上述した構成に加えて、図７に示すように、表示パネル１３２に複数ページの原稿画像をプレビュー表示するプレビュー表示機能と、プレビュー表示された複数ページの原稿画像をスクロール表示するスクロール表示機能とを備えて表示制御手段として機能するタッチパネルディスプレイ１３０における制御部１３１として、印刷用紙（記録媒体）に原稿画像が記録された後に綴じる工程が行われる場合に、表示パネル１３２に表示される複数ページの原稿画像のプレビュー画像１３５を、印刷用紙の綴じ位置に応じて、表示パネル１３２に対して縦方向もしくは横方向の何れかの方向に沿って並べて表示する用紙綴じ表示手段１３１１と、プレビュー画像１３５のスクロール方向を、表示パネル１３２に対して縦方向もしくは横方向の何れかの方向に切換えるスクロール方向切換え手段１３１２とを備えている。
【０１０７】
また、タッチパネルディスプレイ１３０の制御部１３１として、表示パネル１３２に表示されるプレビュー画像１３５の印刷用紙の綴じ側となる端辺と交わる方向に、プレビュー画像１３５をスクロールさせる用紙綴じ位置対応スクロール表示手段１３１３を備えている。
【０１０８】
すなわち、印刷用紙の綴じ側の端辺が表示パネル１３２上で縦方向の端辺となる場合には、プレビュー画像１３５のスクロール方向は、その縦方向の端辺と交わる方向、すわわち、表示パネル１３２上で横方向（左右方向）となる。また、印刷用紙の綴じ側の端辺が表示パネル１３２上で横方向の端辺となる場合には、プレビュー画像１３５のスクロール方向は、表示パネル１３２上で縦方向（上下方向）となる。
【０１０９】
また、タッチパネルディスプレイ１３０は、表示パネル１３２に表示されるプレビュー画像１３５の印刷用紙の中綴じライン（中綴じ位置に沿って折曲げた時の折曲げ線）と交わる方向に、前記プレビュー画像１３５をスクロールさせる用紙中綴じ対応スクロール表示手段１３１４を備えている。
【０１１０】
すなわち、印刷用紙の綴じ位置が中綴じの場合は、その中綴じラインが表示パネル１３２上で縦方向となる場合には、プレビュー画像１３５のスクロール方向は、その縦方向の中綴じラインと交わる方向、すわわち、表示パネル１３２上で横方向（左右方向）となる。また、その中綴じラインが表示パネル１３２上で横方向となる場合には、プレビュー画像１３５のスクロール方向は、その横方向の中綴じラインと交わる方向、すわわち、表示パネル１３２上で縦方向（上下方向）となる。
【０１１１】
以下に、本実施形態の画像形成装置１００におけるタッチパネルディスプレイ１３０による特徴的な原稿画像のプレビュー表示について、図面を参照して具体的に説明する。
なお、以下の説明は、タッチパネルディスプレイ全体を用いて原稿画像のプレビュー表示を行う表示形態として説明を行うが、先の説明にあるように、プレビュー領域３０００においてプレビュー表示を行ってもよいし、機能選択領域２０００をアイコンモードで表示してプレビュー領域３０００を広げた上でプレビュー表示を行うことも可能である。
図８（ａ）〜（ｃ）は本実施形態のタッチパネルディスプレイによるプレビュー表示において原稿画像を横並び表示した状態を示す説明図、図９（ａ）〜（ｃ）は前記タッチパネルディスプレイによるプレビュー表示において原稿画像を縦並び表示した状態を示す説明図である。
【０１１２】
本実施形態の画像形成装置１００において、印刷前に印刷内容を確認する場合は、タッチパネルディスプレイ１３０の表示パネル１３２上に印刷する複数ページデータをプレビュー表示して各ページを一覧表示する。
【０１１３】
タッチパネルディスプレイ１３０によるプレビュー表示において、縦長原稿の原稿画像を横並びにプレビュー表示する時は、図８（ａ）〜（ｃ）に示すように、原稿画像を表示パネル１３２の左側から右側に向って１，２，３・・・となるようにスクロール表示する。
【０１１４】
また、縦長原稿の原稿画像を縦並びにプレビュー表示する時は、図９（ａ）〜（ｃ）に示すように、原稿画像を表示パネル１３２の上側から下側に向って１，２，３・・・となるようにスクロール表示する。
【０１１５】
表示パネル１３２に表示された原稿画像をスクロールする場合は、図８（ａ）〜（ｃ）、図９（ａ）〜（ｃ）に示すように、指で表示パネル１３２上の原稿画像にタッチしたままスライドさせることで、スライド方向へのスクロールが可能になる。
【０１１６】
なお、本実施形態では、表示パネル１３２上でスクロールすることで原稿画像を移動するようにしているが、表示パネル１３２の画面切り替えることで原稿を移動するようにした場合でも同様に指示方向へ移動した状態となる。
【０１１７】
次に、本実施形態において、印刷された用紙を印刷後に綴じる場合の特徴的な原稿画像のプレビュー表示について説明する。
図１０は本実施形態のタッチパネルディスプレイによるプレビュー表示において印刷用紙の左側の縦端辺を綴じる時の原稿画像を表示した状態を示す説明図、図１１は前記タッチパネルディスプレイによるプレビュー表示において印刷用紙の右側の縦端辺を綴じる時の原稿画像を表示した状態を示す説明図、図１２は前記タッチパネルディスプレイによるプレビュー表示において印刷用紙の上側の横端辺を綴じる時の原稿画像を表示した状態を示す説明図、図１３は前記タッチパネルディスプレイによるプレビュー表示において印刷用紙を縦方向で中綴じにした後に左綴じとして使用する時の中綴じの原稿画像を表示した状態を示す説明図、図１４は前記タッチパネルディスプレイによるプレビュー表示において印刷用紙を縦方向で中綴じにした後に右綴じとして使用する時の中綴じの原稿画像を表示した状態を示す説明図、図１５は前記タッチパネルディスプレイによるプレビュー表示において印刷用紙を横方向で中綴じにした後に上綴じとして使用する時の中綴じの原稿画像を表示した状態を示す説明図である。
【０１１８】
本実施形態の画像形成装置１００において、印刷後に用紙の左側の縦端辺を綴じる場合に、縦長原稿の原稿画像をプレビュー表示する時は、図１０に示すように、綴じ位置を原稿画像の左側の縦端辺に表示して、原稿画像を表示パネル１３２の左側から右側に向って横並びに１，２，３・・・となるようにスクロール表示する。
【０１１９】
また、印刷後に用紙の右側の縦端辺を綴じる場合に、縦長原稿の原稿画像をプレビュー表示する時は、図１１に示すように、綴じ位置を原稿画像の右側の縦端辺に表示して、原稿画像を表示パネル１３２の右側から左側に向って横並びに１，２，３・・・となるようにスクロール表示する。
【０１２０】
また、印刷後に用紙の上側の横端辺を綴じる場合に、縦長原稿の原稿画像をプレビュー表示する時は、図１２に示すように、綴じ位置を原稿画像の上側の横端辺に表示して、原稿画像を表示パネル１３２の上側から下側に向って１，２，３・・・となるようにスクロール表示する。
【０１２１】
なお、図１０，図１１，図１２に示す印刷用紙の綴じ位置は、ステープルを行なう位置として表示することとする。
【０１２２】
以上のように、タッチパネルディスプレイ１３０により、印刷後の用紙の綴じ位置に応じて上述したように表示パネル１３２上に原稿画像を表示するようにしたので、綴じ位置が用紙の左側端辺／右側端辺の場合は左右方向にスクロールし、綴じ位置が用紙の上側端辺の場合は上下方向にスクロールすることにより、印刷物の綴じ位置を実際に持ってページをめくる場合と同じ感覚で表示内容を確認することができる。
【０１２３】
また、本実施形態によれば、表示パネル１３２上にプレビュー表示する原稿画像の並べる順番に関しても、印刷物の綴じ位置が左側端辺の場合は、表示パネル１３２上の左側から右側に向って画像原稿を並べ、綴じ位置が右側端辺の場合は、表示パネル１３２上の右側から左側に向って原稿画像を並べるようにすることで、実際に印刷物を見る感覚と同様に表示内容を確認することができる。
【０１２４】
なお、本実施形態では、印刷物の綴じ位置が右上角部／左上角部の場合は、原稿の内容に応じて左右方向または上下方向のどちらのスクロール方向でも最適の場合もあり得るため、自動的に判定はできない。従って、原稿の内容に応じて原稿画像のプレビュー表示の方向（左右方向または上下方向）を、表示方向切換えスイッチなどにより選択的に変更可能にしてもよい。
【０１２５】
次に、本実施形態の画像形成装置１００のタッチパネルディスプレイ１３０に表示される原稿画像のプレビュー表示における、綴じ位置による原稿画像の配列方法と並び方の判定について、フローチャートに沿って説明する。
図１６は本実施形態に係る画像形成装置のタッチパネルディスプレイに表示される原稿画像の綴じ位置による原稿画像の配列方法と並び方の判定の手順を示すフローチャートである。
【０１２６】
画像形成装置１００において、タッチパネルディスプレイ１３０の表示パネル１３２に印刷される原稿画像のプレビュー表示は、図１６に示す動作フローに基づき判定される。
【０１２７】
図１６に示すように、プレビュー表示の判定が開始されると、まず、印刷後の綴じ位置により判断される。ステップＳ１において、綴じ位置が左側の上部であるか否かが判断され、綴じ位置が左側の上部であると判断された場合は、過去の綴じ位置履歴で左側の綴じ位置よりも上側の綴じ位置が新しく存在しているか否かが判断される（ステップＳ２）。
【０１２８】
ステップＳ２において、過去の綴じ位置履歴で左側の綴じ位置よりも上側の綴じ位置が新しく存在していると判断された場合は、原稿画像は図１２に示すように、用紙綴じ表示手段１３１１により表示パネル１３２の上側から下側に向い縦並びでページ表示枠が配置され（ステップＳ３）、配置した順に原稿画像が枠内に描画されてプレビュー表示の判定が終了する。
【０１２９】
一方、ステップＳ２において、過去の綴じ位置履歴で左側の綴じ位置よりも上側の綴じ位置が新しく存在していないと判断された場合は、原稿画像は図１０に示すように、用紙綴じ表示手段１３１１により表示パネル１３２の左側から右側に向い横並びでページ表示枠が配置され（ステップＳ４）、配置した順に原稿画像が枠内に描画されてプレビュー表示の判定が終了する。
【０１３０】
また、ステップＳ１において、綴じ位置が左側の上部ではないと判断された場合は、綴じ位置が左側であるか否かが判断される（ステップＳ５）。
【０１３１】
ステップＳ５において、綴じ位置が左側であると判断された場合は、原稿画像は図１０に示すように、用紙綴じ表示手段１３１１により表示パネル１３２の左側から右側に向い横並びでページ表示枠が配置され（ステップＳ４）、配置した順に原稿画像が枠内に描画されてプレビュー表示の判定が終了する。
【０１３２】
一方、ステップＳ５において、綴じ位置が左側ではない判断された場合は、綴じ位置が右側の上部であるか否かが判断される（ステップＳ６）。
【０１３３】
ステップＳ６において、綴じ位置が右側の上部であると判断された場合は、過去の綴じ位置履歴で右側の綴じ位置よりも上側の綴じ位置が新しく存在しているか否かが判断される（ステップＳ７）。
【０１３４】
ステップＳ７において、過去の綴じ位置履歴で右側の綴じ位置よりも上側の綴じ位置が新しく存在していると判断された場合は、原稿画像は図１２に示すように、用紙綴じ表示手段１３１１により表示パネル１３２の上側から下側に向い縦並びでページ表示枠が配置され（ステップＳ３）、配置した順に原稿画像が枠内に描画されてプレビュー表示の判定が終了する。
【０１３５】
一方、ステップＳ７において、過去の綴じ位置履歴で右側の綴じ位置よりも上側の綴じ位置が新しく存在していないと判断された場合は、原稿画像は図１１に示すように、用紙綴じ表示手段１３１１により表示パネル１３２の右側から左側に向い横並びでページ表示枠が配置され（ステップＳ８）、配置した順に原稿画像が枠内に描画されてプレビュー表示の判定が終了する。
【０１３６】
また、ステップＳ６において、綴じ位置が右側の上部ではないと判断された場合は、綴じ位置が右側であるか否かが判断される（ステップＳ９）。
【０１３７】
ステップＳ９において、綴じ位置が右側であると判断された場合は、原稿画像は図１１に示すように、用紙綴じ表示手段１３１１により表示パネル１３２の右側から左側に向い横並びでページ表示枠が配置され（ステップＳ８）、配置した順に原稿画像が枠内に描画されてプレビュー表示の判定が終了する。
【０１３８】
一方、ステップＳ９において、綴じ位置が右側ではないと判断された場合は、綴じ位置が上側であるか否かが判断される（ステップＳ１０）。
【０１３９】
ステップＳ１０において、綴じ位置が上側であると判断された場合は、原稿画像は図１２に示すように、用紙綴じ表示手段１３１１により表示パネル１３２の上側から下側に向い縦並びでページ表示枠が配置され（ステップＳ３）、配置した順に原稿画像が枠内に描画されてプレビュー表示の判定が終了する。
【０１４０】
一方、ステップＳ１０において、綴じ位置が上側ではないと判断された場合は、綴じ位置が中綴じであるか否かが判断される（ステップＳ１１）。
【０１４１】
ステップＳ１１において、綴じ位置が中綴じであると判断された場合は、原稿の向きが縦長であるか否かが判断される（ステップＳ１２）。
【０１４２】
ステップＳ１２において、原稿の向きが縦長であると判断された場合は、原稿画像は図１５に示すように、用紙綴じ表示手段１３１１により表示パネル１３２の上側から下側に向い縦並びでページ表示枠が配置され（ステップＳ３）、配置した順に原稿画像が枠内に描画されてプレビュー表示の判定が終了する。
【０１４３】
一方、ステップＳ１２において、原稿の向きが縦長ではないと判断された場合は、過去の綴じ位置履歴で左側の綴じ位置よりも右側の綴じ位置が新しく存在しているか否かが判断される（ステップＳ１３）。
【０１４４】
ステップＳ１３において、過去の綴じ位置履歴で左側の綴じ位置よりも右側の綴じ位置が新しく存在していると判断された場合は、ステップＳ８に進み、原稿画像は図１４に示すように、用紙綴じ表示手段１３１１により表示パネル１３２の右側から左側に向い横並びでページ表示枠が配置され、配置した順に原稿画像が枠内に描画されてプレビュー表示の判定が終了する。
【０１４５】
一方、ステップＳ１３において、過去の綴じ位置履歴で左側の綴じ位置よりも右側の綴じ位置が新しく存在していないと判断された場合は、ステップＳ４に進み、原稿画像は図１３に示すように、用紙綴じ表示手段１３１１により表示パネル１３２の左側から右側に向い横並びでページ表示枠が配置され、配置した順に原稿画像が枠内に描画されてプレビュー表示の判定が終了する。
【０１４６】
また、ステップＳ１１において、綴じ位置が中綴じではないと判断された場合は、ステップＳ４に進み、原稿画像は図１０に示すように、用紙綴じ表示手段１３１１により表示パネル１３２の左側から右側に向い横並びでページ表示枠が配置され、配置した順に原稿画像が枠内に描画されてプレビュー表示の判定が終了する。
【０１４７】
このようにして、印刷される原稿画像は、タッチパネルディスプレイ１３０において配列方法と並び方の判定が行われて、用紙綴じ表示手段１３１１により表示パネル１３２にプレビュー表示される。
【０１４８】
表示パネル１３２に表示されるプレビュー画像１３５は、用紙綴じ位置対応スクロール表示手段１３１３及び用紙中綴じ対応スクロール表示手段１３１４により用紙の綴じ位置に応じてスクロール表示される。
【０１４９】
そして、プレビュー画像１３５は、クロール方向切換え手段１３１２によりプレビュー画像１３５が表示される方向（上下方向、左右方向）に応じてスクロール方向が切換えられる。
【０１５０】
以上のように構成したので、本実施形態によれば、画像形成装置１００において、表示パネル１３２に複数ページの原稿画像をプレビュー表示可能な表示制御手段として機能するタッチパネルディスプレイ１３０に、表示パネル１３２に表示される複数ページの原稿画像のプレビュー画像１３５を、印刷用紙の綴じ位置に応じて、表示パネル１３２に対して縦方向もしくは横方向の何れかの方向に沿って並べて表示する用紙綴じ表示手段１３１１と、プレビュー画像１３５のスクロール方向を、表示パネル１３２に対して縦方向もしくは横方向の何れかの方向に切換えるスクロール方向切換え手段１３１２を備えたことで、印刷後の用紙（印刷物）の綴じ位置に応じて、綴じ位置を固定して実際に印刷物のページを捲る場合と同じような視線移動（例えば、印刷物をつづら折に展開したような状態）でプレビュー画像１３５を閲覧することが出来るため、印刷状態をイメージしやすくできる。
【０１５１】
また、本実施形態によれば、タッチパネルディスプレイ１３０に、表示パネル１３２に表示されるプレビュー画像１３５の用紙の綴じ側となる端辺と交わる方向に、プレビュー画像１３５をスクロールさせる用紙綴じ位置対応スクロール表示手段１３１３を備えたことで、実際の印刷物のページ捲りと同じような視線移動でプレビュー画像１３５が閲覧でき、印刷状態をイメージしやすくできる。
【０１５２】
また、本実施形態によれば、タッチパネルディスプレイ１３０に、表示パネル１３２に表示されるプレビュー画像１３５の用紙の中綴じラインと交わる方向に、プレビュー画像１３５をスクロールさせる用紙中綴じ対応スクロール表示手段１３１４を備えたことで、実際の印刷物のページ捲りと同じような視線移動でプレビュー画像１３５が閲覧でき、印刷状態をイメージしやすくできる
【０１５３】
また、本実施形態によれば、タッチパネルディスプレイ１３０として、液晶パネル等で構成された表示パネル１３２と、表示パネル１３２に重ねて配置されたユーザの指で押圧された位置を検出して、ユーザの指による画面操作におけるタッチ操作を認識するタッチパネル１３４とを備え、このタッチパネル１３４に、ユーザの指によるプレビュー画像１３５のスクロール方向指示に応じてプレビュー画像１３５をスクロールさせる機能を備えることで、簡単な操作で実際の印刷物のページ捲りと同じような感覚でスクロール操作することができる。
【０１５４】
尚、上述した実施形態では、本発明に係る操作ユニット１２０を図１に示すような画像形成装置１００に適用した例について説明したが、印刷する前に表示パネル等に原稿画像をプレビュー表示することで印刷状態を確認するようにした画像形成装置であれば、上述したような構成の画像形成装置や複写機に限定されるものではなく、その他の画像形成装置等に展開が可能である。
【０１５５】
また、上述の説明において、タッチパネルディスプレイ１３０上に表示されているプレビュー画像１３５をスクロールさせるとして説明しているが、表示画面単位（複数ページ分のプレビュー画像単位）で切り替えることも可能である。
さらに、タッチパネルディスプレイ１３０上に表示されているプレビュー画像１３５をスクロールさせる指示を行う手法として、操作者の指によるフリック操作でもってプレビュー画像１３５をスクロールさせるとして説明しているが、タッチパネルディスプレイ１３５上に上下左右方向へのスクロール指示を行うキーを表示させ、そのキーをタッチすることでスクロール指示を行うようにしてもよい。
【０１５６】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１５７】
１００  画像形成装置
１２０  操作ユニット（画像表示操作装置）
１３０  タッチパネルディスプレイ（表示制御手段）
１３１  制御部
１３２  表示パネル（操作画面）
１３４  タッチパネル（操作画面）
１３５  プレビュー画像
１４０  表示操作部
１３１１  用紙綴じ表示手段
１３１２  スクロール方向切換え手段
１３１３  用紙綴じ位置対応スクロール表示手段
１３１４  用紙中綴じ対応スクロール表示手段
【図１】
2011205356.tif 000003
【図２】
2011205356.tif 000004
【図３】
2011205356.tif 000005
【図４】
2011205356.tif 000006
【図５】
2011205356.tif 000007
【図６】
2011205356.tif 000008
【図７】
2011205356.tif 000009
【図１６】
2011205356.tif 000010
【図８】
2011205356.tif 000011
【図９】
2011205356.tif 000012
【図１０】
2011205356.tif 000013
【図１１】
2011205356.tif 000014
【図１２】
2011205356.tif 000015
【図１３】
2011205356.tif 000016
【図１４】
2011205356.tif 000017
【図１５】
2011205356.tif 000018
【手続補正書】
【提出日】平成23年2月18日(2011.2.18)
【手続補正１】
【補正対象書類名】図面
【補正対象項目名】図１２
【補正方法】変更
【補正の内容】
【図１２】
2011205356.tif 000019